(57)【要約】【課題】ドライブ装置内に塵埃が侵入しにくく、好適に使用可能な記録ディスクカートリッジを提供する。【解決手段】記録ディスクメディア３０と、記録ディスクメディア３０を収容すると共に、記録ディスクメディア３０を外部に臨ませるアクセス用開口部１０１を有するカートリッジケース１０と、記録ディスクメディア３０とカートリッジケース１０との間で回動することで、アクセス用開口部１０１を開閉するロータリシャッタ２０と、を備え、ドライブ装置Ｄに挿入されて使用される記録ディスクカートリッジ１であって、カートリッジケース１０は、ドライブ装置Ｄへの挿入側（前側）と反対側（後側）に、回転する記録ディスクメディア３０によってドライブ装置Ｄに吸い込まれる空気が通る空気流路１３２ｆを有しており、空気流路１３２ｆを通る空気中の塵埃を取り除くフィルタ８０を備えた。【選択図】図８
2007133942.tif 000002
【特許請求の範囲】
【請求項１】
記録ディスクメディアと、
前記記録ディスクメディアを収容すると共に、当該記録ディスクメディアを外部に臨ませるケース開口を有するカートリッジケースと、
前記記録ディスクメディアと前記カートリッジケースとの間で回動することで、前記ケース開口を開閉するロータリシャッタと、
を備え、ドライブ装置に挿入されて使用される記録ディスクカートリッジであって、
前記カートリッジケースは、前記ドライブ装置への挿入側と反対側に、回転する前記記録ディスクメディアによって前記ドライブ装置に吸い込まれる空気が通る空気流路を有しており、
前記空気流路を通る空気中の塵埃を取り除くフィルタを備えたことを特徴とする記録ディスクカートリッジ。
【請求項２】
前記空気流路は、前記カートリッジケースの角部に配置されていることを特徴とする請求項１に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
従来の記録ディスクカートリッジとしては、例えば特許文献１に記載のものが知られている。特許文献１に記載の記録ディスクカートリッジは、記録ディスクメディアと、ロータリシャッタと、を主に備えている。
【特許文献１】米国特許第６２５６１６８号明細書
【発明の開示】
【発明が解決しようとする課題】
【０００４】
しかしながら、特許文献１に記載の記録ディスクカートリッジを、ドライブ装置に装着すると、記録ディスクカートリッジとドライブ装置との間に隙間が形成された。そして、このように隙間が形成された状態で、記録ディスクメディアが回転すると、外部の空気がこの隙間を介してドライブ装置内に吸い込まれ、ドライブ装置内に塵埃が侵入してしまう虞があった。その結果として、書き込み／読み込みエラーが発生する場合があった。
【０００５】
そこで、本発明は、ドライブ装置内に塵埃が侵入しにくく、好適に使用可能な記録ディスクカートリッジを提供することを課題とする。
【課題を解決するための手段】
【０００６】
前記課題を解決するための手段として、請求項１に係る発明は、記録ディスクメディアと、前記記録ディスクメディアを収容すると共に、当該記録ディスクメディアを外部に臨ませるケース開口を有するカートリッジケースと、前記記録ディスクメディアと前記カートリッジケースとの間で回動することで、前記ケース開口を開閉するロータリシャッタと、を備え、ドライブ装置に挿入されて使用される記録ディスクカートリッジであって、前記カートリッジケースは、前記ドライブ装置への挿入側と反対側に、回転する前記記録ディスクメディアによって前記ドライブ装置に吸い込まれる空気が通る空気流路を有しており、前記空気流路を通る空気中の塵埃を取り除くフィルタを備えたことを特徴とする記録ディスクカートリッジである。
【０００７】
このような記録ディスクカートリッジをドライブ装置に挿入して、スピンドル等によって、記録ディスクメディアを回転させると、ドライブ装置内で空気の渦流が発生し、ドライブ装置に空気が吸い込まれる。そして、このドライブ装置に吸い込まれる空気は、カートリッジケースのドライブ装置への挿入側と反対側の空気流路を通る。次いで、この空気流路を通る空気中の塵埃が、フィルタによって取り除かれる。すなわち、塵埃が取り除かれた空気が、ドライブ装置に吸い込まれる。その結果として、塵埃によって、書き込み／読み込みエラーが発生しにくくなり、記録ディスクカートリッジを好適に使用することができる。
【０００８】
請求項２に係る発明は、前記空気流路は、前記カートリッジケースの角部に配置されていることを特徴とする請求項１に記載の記録ディスクカートリッジである。
【０００９】
このような記録ディスクカートリッジによれば、空気流路がカートリッジケースの角部に配置されていることにより、ドライブ装置に吸い込まれる空気が空気流路を通りやすくなる。これにより、ドライブ装置への塵埃の侵入を、さらに好適に防止することができる。
【発明の効果】
【００１０】
本発明によれば、ドライブ装置内に塵埃が侵入しにくく、好適に使用可能な記録ディスクカートリッジを提供することができる。
【発明を実施するための最良の形態】
【００１１】
本発明を実施するための最良の形態について図面を参照して詳細に説明する。
参照する図面において、図１は、本実施形態に係る記録ディスクカートリッジを示す斜視図であり、（ａ）は前方斜め上方からみた図、（ｂ）は後方斜め下方からみた図である。図２は、本実施形態に係る記録ディスクカートリッジの分解斜視図である。図３（ａ）は、本実施形態に係るフィルタを分解した斜視図であり、図３（ｂ）はフィルタが取り付けられた状態を示す斜視図である。図４は、本実施形態に係るロータリシャッタを示す斜視図であり、（ａ）は前方斜め上方からみた図、（ｂ）は後方斜め下方からみた図である。図５は、本実施形態に係る記録ディスクカートリッジの要部の断面図である。図６は、本実施形態に係る記録ディスクカートリッジから下シェル及びハブ孔シャッタを取り外した様子を下方からみた平面図である。図７は、本実施形態に係る記録ディスクカートリッジをドライブ装置に挿入した状態を示す斜視図である。図８は、本実施形態に係る記録ディスクカートリッジの使用状況を示す平面図である。
なお、本実施形態において方向を説明する場合は、図１に示す前、後、右、左、上、下、を基準として説明する。また、本実施形態において、特許請求の範囲における「挿入側」は「前側」に、「挿入側の反対側」は「後側」に、それぞれ相当する。さらに、図６では下シェルのガイド孔と、ハブ孔シャッタを仮想線で記載している。
【００１２】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、記録ディスクメディア３０をクリーニング及び保護等するライナ６０，６０と、カートリッジケース１０の後記する空気流路１３２ｆに設けられたフィルタ８０と、を主に備えている。そして、このような記録ディスクカートリッジ１は、専用のドライブ装置Ｄ（図７参照）に、その前側から挿入されて使用される。
【００１３】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図７参照）。
【００１４】
また、カートリッジケース１０は、その内部に収容された記録ディスクメディア３０（フレキシブルディスク３１）を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図７、図８参照）の動作に干渉しない形状となっている。
【００１５】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００１６】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００１７】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００１８】
また、上シェル１１は、その右側に、金属プレートを折り曲げ加工して一体形成された平面視で直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、カートリッジケース１０が組み立てられたときに、折り曲げ部１１２ｃと折り曲げ部１２２ｃが隙間なく重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００１９】
さらに、上シェル１１は、その中央部に、ロータリシャッタ２０を回動可能に止め付けるセンタピン５０と係合する係合孔１１３を有している。
【００２０】
一方、下シェル１２は、その中央部に、記録ディスクメディア３０のハブ３２を外部に臨ませるハブ孔１２３を有している。そして、記録ディスクカートリッジ１がドライブ装置Ｄ（図７参照）に装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００２１】
［フレーム部材１３］
フレーム部材１３は、図２に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
【００２２】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている（図６参照）。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている（図６参照）。
【００２３】
また、アーチ状フレーム１３１は、下向きに開口し、カートリッジケース１０の内部と外部を連通させる係合溝１３１ｅ（図６参照）を有している。この係合溝１３１ｅは、後記するロック片７０が係合する溝である。
【００２４】
さらに、記録ディスクカートリッジ１の後側（挿入側と反対側）に位置するベースフレーム１３２は、空気流路１３２ｆを有している（図３（ａ）参照）。空気流路１３２ｆは、ベースフレーム１３２の後側右寄りの位置に、上側が開口した溝状で形成されている。すなわち、空気流路１３２ｆは、カートリッジケース１０の角部に配置されている。
【００２５】
また、この溝状の空気流路１３２ｆの長手方向において、空気流路１３２ｆの一方側はベースフレーム１３２の後側に開口しており、空気流路１３２ｆの他方側はベースフレーム１３２の左側に開口している。また、空気流路１３２ｆは、平面視において、記録ディスクメディア３０の回転軸Ｘに対して、前記した前側左寄りに位置するアクセス用開口部１０１（ケース開口）と、略軸（点）対称に位置している（図６、図８参照）。
【００２６】
そして、記録ディスクメディア３０が、ドライブ装置Ｄに装着され、記録ディスクメディア３０が下方に向かって左回り（反時計回り）に回転すると（図８、矢印Ａ１２参照）、外部の空気が、空気流路１３２ｆを主に通った後、ドライブ装置Ｄ内に吸い込まれるようになっている（図３（ｂ）、図８、矢印Ａ１１参照）。
【００２７】
Ｖノッチ部材１３３は、後記するように閉方向に付勢されるロータリシャッタ２０を閉位置で止めるストッパとしての役割と（図６参照）、ドライブ装置Ｄとの係合部としての役割とを備える部材であり、左端部１０ｄの前側に配置されている。
【００２８】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００２９】
＜フィルタ＞
フィルタ８０は、図３（ａ）及び図３（ｂ）に示すように、ベースフレーム１３２（カートリッジケース１０）の空気流路１３２ｆを通り、ドライブ装置Ｄ内に吸い込まれる空気中の塵埃を取り除くためのものである。フィルタ８０は、空気流路１３２ｆに対応した外形を有しおり、空気流路１３２ｆに嵌合されている。
【００３０】
このようなフィルタ８０としては、例えば、高密度で発泡させた高発泡スポンジや、不織布を使用することができる。不織布については、例えば、ポリエステル系繊維から形成されるものを使用でき、特に、その繊維長が長いポリエステル系繊維であることが好ましい。
【００３１】
＜ロータリシャッタ２０＞
図２に戻って説明を続ける。
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている（図４、図５参照）。
【００３２】
ロータリシャッタ２０は、図２及び図４に示すように、記録ディスクメディア３０（フレキシブルディスク３１）を外部に臨ませる切欠部２０１を有している（図７、図８参照）。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００３３】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図６、図７参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図７、図８参照）。
【００３４】
また、ロータリシャッタ２０は、図示しない付勢手段（例えば渦巻きばね）によって、閉方向（図６、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図６、図７参照）。
【００３５】
このようなロータリシャッタ２０は、図２及び図４に示すように、金属プレートからなる上シャッタ２１及び下シャッタ２２と、これらの間に介在した合成樹脂製のシャッタウォール２３と、を備えて構成されている。
【００３６】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００３７】
また、上シャッタ２１は、その中央部に、前記したセンタピン５０を挿通させるための挿通孔２１２を有している。
【００３８】
下シャッタ２２は、その中央部に、記録ディスクメディア３０の後記するハブ３２を外部に臨ませるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている（図４（ｂ）参照）。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００３９】
さらに、下シャッタ２２の下面には、ロータリシャッタ２０を回動させるためのシャッタノブ２４が取り付けられている（図４（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図７参照）。
【００４０】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタの側面から、その径方向外側に向かって徐々に離れるように延出した細長の金属片である。ロック片７０の先端部７１は、径方向内側に向かってやや屈曲している（図４、図６参照）。
【００４１】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図６参照）に係合し、ロータリシャッタ２０が回動しないようになっている。
【００４２】
また、ロック片７０の先端部７１は、係合溝１３１ｅを介して、記録ディスクカートリッジ１の右側方に臨んでいる。そして、記録ディスクカートリッジ１がドライブ装置Ｄ（図７参照）に挿入されると、ドライブ装置Ｄ内のロック解除ピン（図示省略）が、ロック片７０の先端部７１を径方向内側に押し（図６、矢印Ａ６参照）、ロック片７０と係合溝１３１ｅとの係合が解除され、ロータリシャッタ２０が回動可能となるように構成されている。
【００４３】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視で「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００４４】
＜記録ディスクメディア３０＞
記録ディスクメディア３０は、データを記録する記録媒体であり、本実施形態では、図２に示すように、フレキシブルディスク３１と、このフレキシブルディスク３１を支持するハブ３２と、を備えて構成されている。
【００４５】
フレキシブルディスク３１は、例えば、ポリエステルシート等からなる円盤状の支持体の両面に磁性層等の記録層を形成したものである。
ハブ３２は、フレキシブルディスク３１を支持する金属製の円筒状部材である。また、ハブ３２は、上面にフレキシブルディスク３１の取り付け部（図示省略）を備えると共に、下面にドライブ装置Ｄ（図７参照）のスピンドル（図示省略）にチャックされるチャック部３２１を備えている（図１（ｂ）、図５参照）。
【００４６】
＜ライナ６０＞
ライナ６０，６０は、記録ディスクメディア３０をクリーニングすると共に、記録ディスクメディア３０を保護するものであり、例えば、不織布等から形成されている。そして、ライナ６０，６０は、上シャッタ２１及び下シャッタ２２のフレキシブルディスク３１（記録ディスクメディア３０）側にそれぞれ配置されており、接着層（図示省略）を介して上シャッタ２１又は下シャッタ２２に固定されている（図５参照）。
【００４７】
＜ハブ孔シャッタ４０＞
ハブ孔シャッタ４０は、下シェル１２とハブ３２との間の隙間Ｓ（図５、図７参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００４８】
第１シャッタ４１及び第２シャッタ４２は、それぞれ、平面視で半円状の板状部材である。第１シャッタ４１は、その一方側に、軸孔４１１を有している。同様に、第２シャッタは、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００４９】
また、第１シャッタ４１は、その他方側に、ハブ３２と嵌り合うように半円形状に切り欠かれた嵌合部４１２（切欠部）を有している。同様に、第２シャッタは、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００５０】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００５１】
≪記録ディスクカートリッジ１の作用効果≫
次に、記録ディスクカートリッジ１の作用効果について説明する。まず、ロータリシャッタ２０及びハブ孔シャッタ４０の動作について図７を主に参照して説明し、その後、空気流路１３２ｆ及びフィルタ８０の作用効果について図３（ｂ）及び図８を参照して説明する。
【００５２】
＜ロータリシャッタ２０の動作＞
ロータリシャッタ２０は、図７右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００５３】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図６、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図６、矢印Ａ２参照）。
【００５４】
そうすると、シャッタノブ２４が固定されたロータリシャッタ２０は、カートリッジケース１０内でセンタピン５０を軸として回動する（図６、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００５５】
そして、図７左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、フレキシブルディスク３１（記録ディスクメディア３０）が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００５６】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図６参照）。
【００５７】
＜ハブ孔シャッタ４０の動作＞
次に、このようなロータリシャッタ２０の動作に連動するハブ孔シャッタ４０について説明する。
ハブ孔シャッタ４０は、図７右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる（図５参照）。これにより、この隙間Ｓからカートリッジケース１０内への塵埃の侵入が防止されており、その結果として、記録ディスクメディア３０等が保護されている。
【００５８】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図６、矢印Ａ４、Ａ４参照）。
【００５９】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図６、矢印Ａ５参照）。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図６、矢印Ａ５参照）。
【００６０】
このように第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図７左側参照）。その結果として、ハブ３２及びこれを備える記録ディスクメディア３０は、ハブ３２にチャックするドライブ装置Ｄのスピンドル（図示省略）により、良好に回転することができる。
【００６１】
なお、記録ディスクカートリッジ１がドライブ装置Ｄから取り出されると、閉位置に戻るロータリシャッタ２０に連動して、ハブ孔シャッタ４０は隙間Ｓを閉じる。
【００６２】
＜空気流路１３２ｆ及びフィルタ８０の作用効果＞
次に、空気流路１３２ｆ及びフィルタ８０の作用効果について説明する。
記録ディスクカートリッジ１が、ドライブ装置Ｄに装着されて、ハブ３２にチャックしたスピンドル（図示しない）により、記録ディスクメディア３０が下方に向かって左回り（反時計回り）に回転すると（図８、矢印Ａ１２参照）、ドライブ装置Ｄ内で、空気の渦流が発生し、外部の空気がドライブ装置Ｄ内に吸い込まれる。
【００６３】
ここで、この外部からドライブ装置Ｄ内に吸い込まれる空気は、空気流路１３２ｆに配置されたフィルタ８０を主に通った後、記録ディスクカートリッジ１とドライブ装置Ｄとの隙間を通る。すなわち、フィルタ８０において、空気中の塵埃が取り除かれた空気が、ドライブ装置Ｄ内に吸い込まれる。
また、空気流路１３２ｆは、カートリッジケース１０の角部に配置されると共に、アクセス用開口部１０１と回転軸Ｘに対して軸対称に位置しているため、このように吸い込まれる空気が空気流路１３２ｆを主に通る。
【００６４】
これにより、ドライブ装置Ｄ内に、塵埃が侵入しにくくなる。したがって、塵埃が回転するフレキシブルディスク３１（記録ディスクメディア３０）やスイングアームＳＡの先端のヘッド（図示しない）に付着しにくくなる。その結果として、ドライブ装置Ｄによって、記録ディスクメディア３０にデータを好適に書き込み／読み込みすることができる。よって、塵埃による書き込み／読み込みエラーが発生しにくくなり、記録ディスクカートリッジ１を好適に使用することができる。
【００６５】
以上、本発明の好適な実施形態について説明したが、本発明は前記実施形態に限定されず、本発明の趣旨を逸脱しない範囲で、例えば次のように変更することもできる。
【００６６】
前記した実施形態では、図３に示すように、溝状の空気流路１３２ｆは、その流路断面積を略変えずに、ベースフレーム１３２の後側（ドライブ装置Ｄへの挿入側と反対側）に開口するとしたが、例えば、外部の空気が吸い込まれやすいように、流路断面積が後側に向かって、徐々に大きくなるような構成であってもよい。
【００６７】
前記した実施形態では、図３に示すように、空気流路１３２ｆに嵌合するようなフィルタ８０を備えたが、フィルタ８０の形状及び位置はこれに限定されず、例えば、空気流路１３２ｆの途中位置のみに設けてもよいし、空気流路１３２ｆの後側開口及び／又は右側開口近傍に設けてもよい。
【図面の簡単な説明】
【００６８】
【図１】本実施形態に係る記録ディスクカートリッジを示す斜視図であり、（ａ）は前方斜め上方からみた図、（ｂ）は後方斜め下方からみた図である。
【図２】本実施形態に係る記録ディスクカートリッジの分解斜視図である。
【図３】（ａ）本実施形態に係るフィルタを分解した斜視図であり、（ｂ）はフィルタが取り付けられた状態を示す斜視図である。
【図４】本実施形態に係るロータリシャッタを示す斜視図であり、（ａ）は前方斜め上方からみた図、（ｂ）は後方斜め下方からみた図である。
【図５】本実施形態に係る記録ディスクカートリッジの要部の断面図である。
【図６】本実施形態に係る記録ディスクカートリッジを下方からみた平面図である。
【図７】本実施形態に係る記録ディスクカートリッジをドライブ装置に挿入した状態を示す斜視図である。
【図８】本実施形態に係る記録ディスクカートリッジの使用状況を示す平面図である。
【符号の説明】
【００６９】
１      記録ディスクカートリッジ
１０    カートリッジケース
１３    フレーム部材
１３２  ベースフレーム
１３２ｆ  空気流路
２０    ロータリシャッタ
３０    記録ディスクメディア
４０    ハブ孔シャッタ
８０    フィルタ
１０１、１１１、１２１  アクセス用開口部（ケース開口）
Ｄ      ドライブ装置
Ｓ      隙間
Ｘ      回転軸
【図１】
2007133942.tif 000003
【図２】
2007133942.tif 000004
【図３】
2007133942.tif 000005
【図４】
2007133942.tif 000006
【図５】
2007133942.tif 000007
【図６】
2007133942.tif 000008
【図７】
2007133942.tif 000009
【図８】
2007133942.tif 000010